(57)【要約】【課題】  ダンボール板から作られるダンボール箱であって、きわめて簡単容易に組み立てることができ、ダンボール箱の強度を確保しながら上方、および左、右側方の３方向から物の出入れができ、また、左、右側板の開閉操作が容易である。【解決手段】  ダンボール箱Ｄは、蓋板８および左、右の内外側板４，５がそれぞれ個別に開閉でき、上方および左、右側方の３方からの物の出し入れができ、外側板５に接続される内底板７およびフラップ６ｂの外側コーナー部には、円弧面７Ｒ，６ｂＲが形成されて、内底板７およびフラップ６ｂを有する外側板５の開閉操作が容易になる。【選択図】  図１０
0003139384.tif 000002
【実用新案登録請求の範囲】
【請求項１】
一枚の板材（Ｐ）よりなる組立式収納箱であって、
一枚の板材（Ｐ）には、
底板（１）と、
前記底板（１）の前、後辺に折り線（Ｂ２，Ｂ３）を介して接続される前側板（２）および後側板（３）と、
前記前側板（２）の左、右辺に折り線（Ｂ４，Ｂ４）を介して接続される左、右内側板（４，４）と、
前記後側板（３）の左、右辺に折り線（Ｂ５，Ｂ５）を介して接続される左、右外側板（５，５）と、
前記左、右外側板（５，５）の前辺に折り線（Ｂ７，Ｂ７）を介して接続される左、右内底板（７，７）と、
前記左、右外側板（５，５）の後辺に折り線（Ｂ６ｂ，Ｂ６ｂ）を介してそれぞれ接続される左、右フラップ（６ｂ，６ｂ）と、
前記後側板（３）の後辺に折り線（Ｂ６ａ）を介して接続される中央フラップ（６ａ）と、
前記前側板（２）の前辺に折り線（Ｂ８）を介して接続される蓋板（８）と、
が一平面状に形成され、
前記内底板（７，７）および左、右フラップ（６ｂ，６ｂ）の外側コーナ部は円弧面（７Ｒ，６ｂＲ）に形成されており、
左、右外側板（５，５）は、フラップ（６ｂ，６ｂ）と共に折り線（Ｂ５，Ｂ５）を介して後側板（３）に対して略直角に折り曲げられると共に、左、右内底板（７，７）は折り線（Ｂ７，Ｂ７）を介して左、右外側板（５，５）に対して直角に折り曲げられ、
後側板（３）はフラップ（６ａ）と共に底板（１）に対して折り線（Ｂ３）を介して略直角に折り曲げられて前記左、右内底板（７，７）は底板（１）上に重ね合わされ、
左、右内側板（４，４）は折り線（Ｂ４，Ｂ４）を介して前側板（２）に対して略直角に折り曲げられ、
前記前側板（２）は底板（１）に対して折り線（Ｂ２）を介して略直角に折り曲げられて前記左、右内側板（４，４）は、前記左、右外側板（５，５）の内側に重ね合わされ、  前記蓋板（８）は前側板（２）に対して折り線（Ｂ８）を介して略直角に折り曲げられ、蓋板（８）および左、右内外側板（４，５）は、それぞれ個別に開閉可能であることを特徴とする、組立式収納箱。
【請求項２】
蓋板（８）の前辺と、前記後側板（３）とフラップ（６ａ）との接続線には、相互に着脱可能に差込み結合される差込舌片（１２）と差込孔（１１）とが、それぞれ形成されていることを特徴とする、請求項１記載の組立式収納箱。
【考案の詳細な説明】
【技術分野】
【０００１】
本考案は、底板および左、右側板を２重として充分な強度を保有し、かつ蓋板および左、右側板を個別に開閉可能として上方および左右側方面からの物の出し入れを可能とし、特に左、右側板の開閉操作を円滑、容易に行なうことができるようにした、ダンボール箱などの組立式収納箱に関する。
【背景技術】
【０００２】
従来、折畳み手段によって、組立および解体を容易かつ迅速に行うことができるようにした、保存箱は後記特許文献１により公知である。
【特許文献１】特開平１０−４５１２２号公報
【考案の開示】
【考案が解決しようとする課題】
【０００３】
ところが、従来の保存箱は、左右両側部が３枚の側面板により３重の側面部を構成するようにされており、正面板による強度を増大し、積み重ねにも十分耐え得る強度の保有するように構成されているものの、構造が複雑で、その組立が面倒であり、その製作コストが嵩むという問題があり、また物の出入口が上面だけであるので、物の出入がしにくいという問題がある。
【０００４】
本考案はかかる実情に鑑みてなされたもので、前記問題を解決できるようにした新規な組立式収納箱を提供することを目的とする。
【課題を解決するための手段】
【０００５】
前記目的を達成するために、請求項１記載の考案は、一枚の板材よりなる組立式収納箱であって、
一枚の板材には、底板と、前記底板の前、後辺に折り線を介して接続される前側板および後側板と、前記前側板の左、右辺に折り線を介して接続される左、右内側板と、前記後側板の左、右辺に折り線を介して接続される左、右外側板と、前記左、右外側板の前辺に折り線を介して接続される左、右内底板と、前記左、右外側板の後辺に折り線を介してそれぞれ接続される左、右フラップと、前記後側板の後辺に折り線を介して接続される中央フラップと、前記前側板の前辺に折り線を介して接続される蓋板とが一平面状に形成され、
前記内底板および左、右フラップの外側コーナ部は円弧面に形成されており、左、右外側板は、フラップと共に折り線を介して後側板に対して略直角に折り曲げられると共に、左、右内底板は折り線を介して左、右外側板に対して直角に折り曲げられ、後側板はフラップと共に底板に対して折り線を介して略直角に折り曲げられて前記左、右内底板は底板上に重ね合わされ、左、右内側板は折り線を介して前側板に対して略直角に折り曲げられ、前記前側板は底板に対して折り線を介して略直角に折り曲げられて前記左、右内側板は、前記左、右外側板の内側に重ね合わされ、前記蓋板は前側板に対して折り線を介して略直角に折り曲げられ、蓋板および左、右内外側板は、それぞれ個別に開閉可能であることを特徴としている。
【０００６】
また、前記目的を達成するために、請求項２記載の考案は、前記請求項１記載のものにおいて、  蓋板の前辺と、前記後側板とフラップとの接続線には、相互に着脱可能に差込み結合される差込舌片と差込孔とが、それぞれ形成されていることを特徴としている。
【考案の効果】
【０００７】
請求項各項記載の考案によれば、きわめて簡単容易に組み立てることができ、しかも組立、解体が容易であり、さらに解体によって素材を傷つけたり、損傷したりすることがないので、再利用が可能である。また、組み立て後に底板に切目ができることがなく、その切目を封緘するためのテープなども止め手段が不要である。また、強度の要求される底板、左、右側板をいずれも２重とすることができるので、組立の容易性と、材料の節減を図りながら、所望の強度をもつ組立式収納箱を提供することができる。さらに、蓋板およびおよび左、右両側板をそれぞれ個別に開閉できるようにして上方および左、右両側方の３方向から収納箱内に物を出し入れできて、収納箱の強度を確保しながら３方向からの物の出入れが容易であってきわめて利便である。特に、内底板は、その外側コーナー部を円弧面に形成したので、２重底の強度を高めるべく、幅広に形成しても左、右側板の開閉を円滑、容易に行なうことができる。
【考案を実施するための最良の形態】
【０００８】
本考案の実施の形態を、添付図面に例示した本考案の実施例に基づいて以下に具体的に説明する。
【０００９】
この実施例は、本考案組立式収納箱を、ダンボール箱に実施した場合であり、図１は、本考案にかかる組立式ダンボール箱の組み立て完了状態の一部破断斜視図、図２は、図１の２−２線に沿う断面図、図３は、図１の３−３線に沿う断面図、図４は、図２の４−４線に沿う断面図、図５は、図２の５−５線に沿う断面図、図６は、組立式ダンボール箱の展開平面図、図７〜９は、組立式ダンボール箱の組立手順を示す斜視図、図１０は、組立式ダンボール箱の一使用例を示す図である。
【００１０】
本考案にかかる組立式収納箱、すなわち組立式ダンボール箱Ｄは、一枚のダンボール板Ｐにより構成され、テープ、ファスナ、接着剤などの接続手段を用いることなく、図１に示すように、直方体状に組み立てられ、特に、その組立状態で、蓋板の外、左右側板の自由な開閉が可能であり、これにより、ダンボール箱Ｄの上方、および左右側方からの物Ｏの出し入れが可能であり、かつ底板、左、右側板がいずれも二重であって、充分な強度を保有している。そしてダンボール箱Ｄを構成するダンボール板Ｐは、一枚のダンボール原紙を所定の形状に裁断して形成される。
【００１１】
図６には、ダンボール板Ｐを一平面の展開した状態が示されており、そのダンボール板Ｐは、その中央部に長方形状の底板１を有し、この底板１の相対向する前、後辺には折り線Ｂ２，Ｂ３を介して前側板２および後側板３がそれぞれ接続される。
【００１２】
前記前側板２の左、右辺には、折り線Ｂ４，Ｂ４を介して左、右内側板４，４がそれぞれ接続される。また、この前側板２の前辺には、底板１と同じ蓋板８が折り線Ｂ８を介して接続される。
【００１３】
また、前記後側板３の左、右辺には、折り線Ｂ５，Ｂ５を介して前記左、右内側板４，４と同じ左、右外側板５，５が接続される。また左、右内側板５，５の前辺には折り線Ｂ７，Ｂ７を介して左、右内底板７，７が接続される。これらの内底板７，７は、前記底板１の左右両側縁に隣接して延びており、ダンボール箱Ｄの組立時に底板１上に左、右に並んで重ね合わされように、底板１の略１／２の大きさにそれぞれ形成される。また、左、右内底板７，７の外側のコーナー部は、円弧面７Ｒ，７Ｒに形成されており、後に述べるように、外側板５，５の開閉操作がし易いようにされている。
【００１４】
後側板３および左、右外側板５，５の後辺には、折り線Ｂ６ａおよびＢ６ｂ，Ｂ６ｂを介して中央フラップ６ａおよび左、右フラップ６ｂ，６ｂが接続される。中央ラップ６ａは、細長い長方形に形成され、一方、左、右ラップ６ｂ，６ｂは、前記左、右内底板７，７と略同じ形状に形成されて、それらの外側コーナー部も円弧面６ｂＲ，６ｂＲに形成されており、これらのラップ６ｂ，６ｂと共に開閉される外側板５，５の開閉操作がし易いようにされている。
【００１５】
前記左、右内側板４，４および前記左、右外側板５，５には、長孔１０がそれぞれ開口され、それらの各長孔１０は、ダンボール箱Ｄの組立時に一致して、人が指を差し込んで把持し得る把手孔Ｈ（図１参照）となる。
【００１６】
後側板３と中央フラップ６ａ間の折り線Ｂ６ａの中央部には、差込孔１１が開口され、また蓋板８の前辺の中央部には、その差込孔１１に抜差自在に差し込まれる差込舌片１２が外側に向けて一体に形成される。
【００１７】
また、左、右内側板４，４の前辺には、折り線１３ｂ，１３ｂを介してフラップ１３，１３が接続されている。
【００１８】
つぎに、図７〜９を参照して、展開状態のダンボール板Ｐから、ダンボール箱Ｄを組み立てる手順について説明する。
【００１９】
(1) まず、展開状態のダンボール板Ｐを設置面上に置いたのち、図７に示すように、後側板３を折り線Ｂ３に沿って略直角に上方に折り曲げ、また、左、右内底板７，７を内側に折り線Ｂ７，Ｂ７の沿って略直角に折り曲げ、左、右外側板５，５を折り線Ｂ５，Ｂ５に沿って内側すなわち底板１側に略直角に折り曲げる。
【００２０】
(2) 前記(1) の折り曲げにより、図８に示すように、左、右内底板７，７は、底板１上に重ね合わされて２重底となり、また底板１の三方、すなわち左、右辺および後辺は、起立した左、右外側板５，５および後側板３により囲まれる。これにより、ダンボール箱Ｄは、その前面および上面がいずれも開放状態となって、その前面および上面のいずれの側からもダンボール箱Ｄの２重底の底板１内へ収納物Ｏの出入れを行なうことができる。
【００２１】
(3) つぎに、図９に示すように、左、右内側板４，４を折り線Ｂ４，Ｂ４に沿って内側に略直角に折り曲げて、これらを既に起立している左、右外側板５，５の内側に差し込みながら前側板２を蓋板８と共に折り線Ｂ２に沿って略直角に折り曲げれば、ダンボール箱Ｄは、その左、右側板は、それぞれ内、外側板４，５により２重となり、また長孔１０，１０は一致して、人が把持し得る把手孔Ｈとなり、ダンボール箱Ｄの前面を閉じることができる。
【００２２】
(4) 図９矢印に示すように、左、右フラップ１３，１３、中央フラップ６ａおよび左、右フラップ６ｂ，６ｂをそれぞれ折り線Ｂ６ａおよびＢ６ｂ，Ｂ６ｂに沿って内側に折り曲げたのち、蓋板８を折り線Ｂ８に沿って内側に折り曲げれば、ダンボール箱Ｄの開放上面は閉じられる。差込舌片１２を、差込孔１１に差し込むことにより、図１に示すように、ダンボール箱Ｄの組み立てが終了する。
【００２３】
ダンボール箱Ｄの組付状態では、蓋板８を開閉操作して、その上面を開閉することができる外に、外側板５および内側板４を開閉操作することにより、左、右側面をそれぞれ個別に開閉することができる。これにより、図１０に示すように、複数のダンボール箱Ｄを段積みした状態でも、ダンボール箱Ｄは、その蓋板８を開放してその上方より物Ｏの出し入れができる外、その左、右内、外側板４，５を開放して、その左、右側方からも物Ｏの出し入れをすることができる。
【００２４】
外側板５には、内底板７およびラップ６Ｂが接続されており、それらはダンボール箱Ｄの強度を高める（特に、内底板７は底板を２重底にする）べく幅広に形成しても、内底板７およびラップ６Ｂの外側コーナー部には、前述の円弧面７Ｒ、６ｂＲが形成されているので、内、外側板４，５の開閉を円滑に行なうことができる。
【００２５】
以上、前記(1) 〜(4) により、組立、解体がきわめて簡単、容易なダンボール箱Ｄを提供することができ、しかも強度の要求される左、右側板および底板をいずれも２重板としたので、簡単な構造でありながらダンボール箱Ｄとして必要を強度を保有させることができ、さらに、ダンボール箱Ｄは、蓋板および左、右側板は、それぞれ個別に開閉可能であるので、その上方および左、右両方から物Ｏの出入れができる。
【００２６】
また、ダンボール箱Ｄを一枚の板材より、テープ、接着剤、ファスナーなどの接続手段を一切使用することなく、きわめて簡単容易に組み立てることができ、しかも組立、解体が容易であり、さらに解体によって素材を傷つけたり、損傷したりすることがないので、再利用が可能である。また、組み立て後に底板１に切目ができることがなく、その切目を封緘するためのテープなどの止め手段が不要である。また、強度の要求される底板、左、右側板をいずれも２重とすることができるので、組立の容易性と、材料の節減を図りながら、所望の強度をもつダンボール箱Ｄ、すなわち組立式収納箱を提供することができる。
【００２７】
なお、内側板４，４の前辺および後辺に、折り線Ｂ７，Ｂ６ｂを介して内底板７，７およびフラップ６ｂ，６ｂを接続し、一方、外側板５の後辺に折り線Ｂ１３を介してフラップ１３，１３を接続するようにしてもよい。
【００２８】
以上、本考案の実施例について説明したが、本考案はその実施例に限定されることなく、本考案の範囲内で種々の実施例が可能である。
【００２９】
たとえば、前記実施例では、本考案組立式収納箱を、ダンボール板よりなるダンボール箱とした場合について説明したが、これを他の紙板、合成樹脂板、木板など他の板材により構成してもよいことは勿論である。
【図面の簡単な説明】
【００３０】
【図１】本考案にかかる組立式ダンボール箱の組み立て完了状態の一部破断斜視図
【図２】図１の２−２線に沿う断面図
【図３】図１の３−３線に沿う断面図
【図４】図２の４−４線に沿う断面図
【図５】図２の５−５線に沿う断面図
【図６】組立式ダンボール箱の展開平面図
【図７】組立式ダンボール箱の組立手順を示す斜視図
【図８】組立式ダンボール箱の組立手順を示す斜視図
【図９】組立式ダンボール箱の組立手順を示す斜視図
【図１０】組立式ダンボール箱の一使用例を示す図
【符号の説明】
【００３１】
１・・・・・・・・・底板
２・・・・・・・・・前側板
３・・・・・・・・・後側板
４・・・・・・・・・内側板
５・・・・・・・・・外側板
６ａ・・・・・・・・フラップ
６ｂ・・・・・・・・フラップ
６ｂＲ・・・・・・・円弧面
７・・・・・・・・・内底板
７Ｒ・・・・・・・・円弧面
８・・・・・・・・・蓋板
１１・・・・・・・・・差込孔
１２・・・・・・・・・差込舌片
Ｐ・・・・・・・・・板材（ダンボール板）
Ｂ２・・・・・・・・・折り線
Ｂ３・・・・・・・・・折り線
Ｂ４・・・・・・・・・折り線
Ｂ５・・・・・・・・・折り線
Ｂ６ａ・・・・・・・・折り線
Ｂ７・・・・・・・・・折り線
Ｂ８・・・・・・・・・折り線
【図１】
0003139384.tif 000003
【図２】
0003139384.tif 000004
【図３】
0003139384.tif 000005
【図４】
0003139384.tif 000006
【図５】
0003139384.tif 000007
【図６】
0003139384.tif 000008
【図７】
0003139384.tif 000009
【図８】
0003139384.tif 000010
【図９】
0003139384.tif 000011
【図１０】
0003139384.tif 000012